(57)【要約】      （修正有）【課題】表示部がオン状態でも省電力化を図ることができ、且つ省電力化に伴って表示画面にちらつきが生じることを効果的に抑制しうる携帯端末装置を提供する。【解決手段】携帯端末装置１は、表示画面に情報を表示する表示部２を備えている。そして、所定の省電力条件が条件検出手段（ＣＰＵ５、タイマ１０）によって検出された場合に、周波数変更手段（ＣＰＵ５）により、ピクセルクロック周波数を少なくとも省電力条件の検出前よりも小さくなるように変更するようにしている。さらに、階調変更手段（ＣＰＵ５）により、表示部２で表示される少なくともいずれかの色の階調を、省電力条件の検出前よりも小さくなるように変更するとともに、輝度調整手段（ＣＰＵ５）によって光源を省電力条件の検出前よりも減光するようにしている。【選択図】図２
2014204260.tif 000002
【特許請求の範囲】
【請求項１】
表示画面に情報を表示する表示部が端末本体に組み付けられてなる携帯端末装置であって、
前記表示部に光を照射する光源と、
前記光源の明るさを変更可能な輝度調整手段と、
前記表示部の階調を変更可能な階調変更手段と、
前記表示部を動作させる動作周波数を変更可能な周波数変更手段と、
所定の省電力条件の成立を検出可能な条件検出手段と、
を備え、
前記条件検出手段により前記省電力条件が検出された場合に、前記輝度調整手段は、前記光源を前記省電力条件の検出前よりも減光し、前記周波数変更手段は、前記動作周波数を少なくとも前記省電力条件の検出前よりも小さくなるように変更し、前記階調変更手段は前記表示部で表示される少なくともいずれかの色の階調を、前記省電力条件の検出前よりも小さくなるように変更することを特徴とする携帯端末装置。
【請求項２】
外部からの入力操作を受け付ける入力手段を備え、
前記条件検出手段は、少なくとも前記入力手段による入力が検出されなくなってから一定時間が経過した状態を省電力状態として検出することを特徴とする請求項１に記載の携帯端末装置。
【請求項３】
前記階調変更手段は、前記条件検出手段により前記省電力条件が検出された場合に、前記表示部で表示される少なくともいずれかの色の階調を、前記省電力条件の検出前の階調から連続的または段階的に小さくするように変更することを特徴とする請求項１又は請求項２に記載の携帯端末装置。
【請求項４】
前記周波数変更手段は、前記条件検出手段により前記省電力条件が検出された場合に、前記表示部を動作させる前記動作周波数を、前記省電力条件の検出前の前記動作周波数から連続的または段階的に小さくするように変更することを特徴とする請求項１から請求項３のいずれか一項に記載の携帯端末装置。
【請求項５】
前記周波数変更手段は、前記条件検出手段により前記省電力条件が検出された場合に、前記表示部を動作させる前記動作周波数を、予め定められた変化幅で一段階低減、又は設定された低周波数以下となるように一段階低減することを特徴とする請求項１から請求項３のいずれか一項に記載の携帯端末装置。
【請求項６】
前記周波数変更手段は、前記条件検出手段により前記省電力条件が検出された場合に、前記表示部を動作させる前記動作周波数を、前記省電力条件の検出前の前記動作周波数から段階的に小さくするように変更し、
前記階調変更手段は、前記条件検出手段により前記省電力条件が検出された場合に、前記表示部で表示される少なくともいずれかの色の階調を、前記周波数変更手段によって変更される前記動作周波数に対応付けて予め定められた階調となるように、前記省電力条件の検出前の階調から段階的に小さくすることを特徴とする請求項１又は請求項２に記載の携帯端末装置。
【発明の詳細な説明】
【技術分野】
【０００１】
本発明は、携帯端末装置に関するものである。
【背景技術】
【０００２】
現在、携帯型の光学的情報読取装置や携帯型の決済端末など様々な携帯端末装置が提供されている。この種の携帯端末装置では、上面部等に表示部を設けた構成が一般的であり、このような表示部の存在により、ユーザは使用時或いは設定時に情報入力や読み出しなどの様々な作業を好適に行うことができるようになっている。そして、このような携帯端末装置は、様々な場所に携行されて使用されることが多く、外部電源から電力供給を受けることができない場合が多いため、一般的にバッテリが搭載されており、このバッテリの消費を如何に抑えるかが課題となっている。
【先行技術文献】
【特許文献】
【０００３】
【特許文献１】特開２０１１−２５０３０７号公報
【発明の概要】
【発明が解決しようとする課題】
【０００４】
例えば、このような携帯端末装置では、表示部を動作させる動作周波数が大きくなるほど電力消費量が大きくなるため、省電力化を図るためには極力動作周波数を小さく抑えることが望ましい。特に、利用者が長い時間操作しないような時間帯などでは、それほど大きな動作周波数が必要とならないため、動作周波数を抑えて省電力化を図ることが望ましいといえる。しかしながら、表示部の動作周波数を単純に小さくするだけでは、表示画面がちらつきやすく、視認性の低下や不快感を招くといった問題がある。
【０００５】
上記のような省電力化の問題を解決するものとして、例えば、特許文献１のようなものが存在する。この特許文献１の技術では、表示装置と、操作手段とを備えた電子機器において、操作手段の未操作期間が基準値に達した場合、表示装置の画面を省電力手段によりオフするようにしている。しかしながら、この特許文献１の技術は、単に、操作手段の未操作期間が基準値に達した場合に表示装置の画面をオフにするといった構成であり、実際は表示装置の表示画面がオンの状態においても使用されていない場合も多々あるが、その際において、省電力化を図ることは想定されておらず、また、表示画面のちらつきを抑制し得るものではなかった。
【０００６】
本発明は、上述した課題を解決するためになされたものであり、表示部がオン状態でも省電力化を図ることができ、且つ省電力化に伴って表示画面にちらつきが生じることを効果的に抑制しうる携帯端末装置を提供することを目的とする。
【課題を解決するための手段】
【０００７】
本発明は、表示画面に情報を表示する表示部が端末本体に組み付けられてなる携帯端末装置であって、前記表示部に光を照射する光源と、前記光源の明るさを変更可能な輝度調整手段と、前記表示部の階調を変更可能な階調変更手段と、前記表示部を動作させる動作周波数を変更可能な周波数変更手段と、所定の省電力条件の成立を検出可能な条件検出手段と、を備え、前記条件検出手段により前記省電力条件が検出された場合に、前記輝度調整手段は、前記光源を前記省電力条件の検出前よりも減光し、前記周波数変更手段は、前記動作周波数を少なくとも前記省電力条件の検出前よりも小さくなるように変更し、前記階調変更手段は前記表示部で表示される少なくともいずれかの色の階調を、前記省電力条件の検出前よりも小さくなるように変更することを特徴とする。
【発明の効果】
【０００８】
請求項１の発明では、表示画面に情報を表示する表示部を備えた携帯端末装置において、所定の省電力条件が条件検出手段によって検出された場合に、周波数変更手段により、動作周波数を少なくとも省電力条件の検出前よりも小さくなるように変更するようにしている。このように、表示部を動作させる動作周波数を小さくすることで、電力消費量を小さくすることができ、表示部がオン状態でも省電力化を図ることができる。また、表示部の動作周波数を単純に小さくすると、表示画面がちらつきやすくなるといった問題があるが、本発明では、さらに、階調変更手段により、表示部で表示される少なくともいずれかの色の階調を、省電力条件の検出前よりも小さくなるように変更するとともに、輝度調整手段によって光源を省電力条件の検出前よりも減光するようにしている。このため、表示画面にちらつきが生じることを効果的に抑制することができる。
【０００９】
請求項２の発明では、外部からの入力操作を受け付ける入力手段を備えている。そして、条件検出手段は、少なくとも入力手段による入力が検出されなくなってから一定時間が経過した状態を省電力状態として検出するようにしている。このように、入力手段による入力が検出されなくなってから一定時間が経過した状態を省電力状態として検出することで、利用者が当該携帯端末装置を操作していない時間帯に、的確に省電力化を図ることができる。
【００１０】
請求項３の発明では、階調変更手段は、条件検出手段により省電力条件が検出された場合に、表示部で表示される少なくともいずれかの色の階調を、省電力条件の検出前の階調から連続的または段階的に小さくするように変更するようにしている。このように、階調を連続的または段階的に小さくするように変更することで、この階調の変化をユーザに気付かせないようにすることができ、ユーザに与える不快感をより抑えることができる。
【００１１】
請求項４の発明では、周波数変更手段は、条件検出手段により省電力条件が検出された場合に、表示部を動作させる動作周波数を、省電力条件の検出前の動作周波数から連続的または段階的に小さくするように変更するようにしている。このように、動作周波数を徐々に小さくすることで、ユーザに与える不快感を抑えることができる。
【００１２】
請求項５の発明では、周波数変更手段は、条件検出手段により省電力条件が検出された場合に、表示部を動作させる動作周波数を、予め定められた変化幅で一段階低減、又は設定された低周波数以下となるように一段階低減するようにしている。このように、動作周波数を、予め定められた変化幅で一段階低減、又は設定された低周波数以下となるように一段階低減するように変更することで、徐々に低減するように変更する場合と比べて、より省電力化を図ることができる。
【００１３】
請求項６の発明では、周波数変更手段は、条件検出手段により省電力条件が検出された場合に、表示部を動作させる動作周波数を、省電力条件の検出前の動作周波数から段階的に小さくするように変更するようにしている。また、階調変更手段は、条件検出手段により省電力条件が検出された場合に、表示部で表示される少なくともいずれかの色の階調を、周波数変更手段によって変更される動作周波数に対応付けて予め定められた階調となるように、省電力条件の検出前の階調から段階的に小さくするようにしている。このように、周波数変更手段によって変更される動作周波数に対応付けて、階調変更手段は表示部の階調を変更するようにしているので、複雑な処理等を要することなく、よりスムーズに省電力化を図ることができる。
【図面の簡単な説明】
【００１４】
【図１】図１は、第１実施形態に係る携帯端末装置を概略的に例示する外観図である。
【図２】図２は、図１の携帯端末装置の電気的構成を概略的に例示するブロック図である。
【図３】図３は、第１実施形態に係る携帯端末装置で行われる端末処理（電源オン処理）の流れを例示するフローチャートである。
【図４】図４は、第１実施形態に係る携帯端末装置で行われる端末処理（バックライト減光処理）の流れを例示するフローチャートである。
【図５】図５は、第１実施形態に係る携帯端末装置で行われる端末処理（パワーセービング処理）の流れを例示するフローチャートである。
【図６】図６は、第１実施形態に係る携帯端末装置の状態遷移の様子を説明する説明図である。
【図７】図７は、バックライトレベルＬＬに応じて、ピクセルクロック周波数及び階調を予め設定した図である。
【発明を実施するための形態】
【００１５】
[第１実施形態]
以下、本発明に係る携帯端末装置を具現化した第１実施形態について、図面を参照して説明する。
【００１６】
（携帯端末装置の全体構成）
まず、第１実施形態に係る携帯端末装置１の全体構成について説明する。なお、図１は、本発明の第１実施形態に係る携帯端末装置１を概略的に例示する外観図である。
図１に示すように、本第１実施形態に係る携帯端末装置１は、主に表示部２およびキー入力部３から構成されている。表示部２は、例えば液晶ディスプレイなどからなり、端末本体に組み付けられており、ＣＰＵ５（後述）から出力される情報を表示画面２ａに表示するように構成されている。また、表示画面２ａには、文字等の情報をキー入力部３から入力可能な入力可能領域ＡＲが設けられている。キー入力部３は、図１に示すように、外部に露出する複数の操作キー３ａを備えており、操作キー３ａの操作に応じた情報をＣＰＵ５に入力する。また、表示部２は、外面部に入力部が設けられたタッチパネルから構成されていてもよく、使用者が表示画面２ａをタップすることで操作キー３ａと同様に、文字等の情報を入力できるようになっている。なお、キー入力部３および操作キー３ａは、「入力手段」の一例に相当する。
【００１７】
（電気的構成）
次に、本第１実施形態に係る携帯端末装置１の電気的構成について説明する。なお、図２は、携帯端末装置１の電気的構成を示すブロック図である。
図２に示すように、携帯端末装置１は、当該携帯端末装置１の全体的制御を司るＣＰＵ５を有し、このＣＰＵ５には、上述した表示部２およびキー入力部３、バックライト４が接続されていると共に、メモリ６、通信部７、バッテリ８、情報コード読取部９、タイマ１０などがそれぞれ接続されている。
【００１８】
ＣＰＵ５は、携帯端末装置１全体を制御すると共に、情報処理機能を有している。このＣＰＵ５には、表示部２やキー入力部３など、内蔵された入出力インタフェースを介して種々の入出力装置（周辺装置）が接続されている。
【００１９】
表示部２は、キー入力部３の操作に応じた情報や、当該携帯端末装置１の動作状態を表示可能に構成されている。この表示部２は、複数の画素セルがマトリックス状の配置されてなる公知の液晶パネルと、この液晶パネルに電気信号を供給する駆動回路とを備えており、バックライト４からの光又はバックライト４からの光を導く導光板からの光が液晶パネルの後方側から照射されるようになっている。この構成では、液晶パネルに対して駆動回路から設定された動作周波数でピクセルクロックが送信され、設定された動作周波数（ピクセルクロック周波数）に対応する速さで表示される画像が更新されるようになっている。ピクセルクロック周波数は、液晶パネル（ディスプレイ）の１ドット（１画素）を表示するために必要な時間の逆数であり、ピクセルクロック周波数が大きいほど１ドットを表示するために要する時間が小さく（速く）、ピクセルクロック周波数が小さいほど１ドットを表示するために要する時間が大きく（遅く）なる。なお、設定されたピクセルクロック（ドットクロック）に応じた速度で各画素を表示する駆動技術は液晶表示装置の分野では周知であるため詳細な説明は省略するが、設定されたピクセルクロック（ドットクロック）に応じた速度で各画素の表示が行われる構成であれば、公知の様々な構成を用いることができる。また、バックライト４は、入力された電流量に応じた明るさで発光するものであり、ＣＰＵ５からの信号に基づき表示部２に光を照射するようになっている。なお、バックライト４の具体的光源は、例えばＬＥＤバックライトを好適に用いることができ、それ以外の具体的光源（例えば、エレクトロルミネセンスパネルや冷陰極管など）であってもよい。なお、バックライト４は、「光源」の一例に相当する。キー入力部３は、使用者が当該キー入力部３に設けられる操作キー３ａを操作することにより、ＣＰＵ５に対して直接、信号を入力可能に構成されている。
【００２０】
メモリ６は、ＲＯＭ、ＲＡＭ、不揮発性メモリなどの半導体メモリ等により構成され、ＣＰＵ５から入力される情報や、当該携帯端末装置１に対して実行するプログラム等が記憶されるように構成されている。
【００２１】
通信部７は、無線ＬＡＮやＢｌｕｅｔｏｏｔｈ（登録商標）などの通信手段により外部装置と無線通信を行うためのインタフェースとして構成されている。バッテリ８は、所定の直流電圧を発生可能な２次電池（例えばリチウムイオン電池等）によって構成されており、携帯端末装置１本体内の各種電気部品に電力を供給している。
【００２２】
情報コード読取部９は、ＣＰＵ５と協働してコードリーダとして機能する部分であり、バーコード、二次元コード等の光学的情報を撮像し、その撮像された光学的情報を読み取る構成をなしている。
【００２３】
タイマ１０は、公知の時計回路、タイマ回路などによって構成されており、所定の時間を計測するために設けられている。例えば、キー入力部３が操作されてからの経過時間等を計測して、ＣＰＵ５に出力するように構成されている。
【００２４】
次に、上述のように構成される携帯端末装置１のＣＰＵ５にて主に行われる端末処理について、図３〜図７を用いて説明する。本第１実施形態では、携帯端末装置１において、所定の省電力条件が検出された場合に、所定の省電力動作を行うようになっている。なお、図６は、携帯端末装置１で行われる省電力動作にともなう状態遷移の様子を示しており、図３〜図５のフローチャートと併用して、当該処理について説明する。
【００２５】
まず、携帯端末装置１に電源が入れられると、図３のステップＳ１にて、ＣＰＵ５からの信号に基づき、バックライト４が点灯する。また、バックライト４の点灯とともに、タイマ１０（状態遷移タイマ）が起動され、外部からキー入力部３などにより入力操作がなされるまでの時間（ＣＰＵ５がキー入力部３から入力信号を受けるまでの時間）が計測されるようになっている（Ｓ２）。そして、ステップＳ２にてタイマ１０が起動した後にはステップＳ３にてイベント待ちが行われる。このように、ステップＳ３にてイベント待ちをしているときにイベントが発生すると、ステップＳ４にて、この発生したイベントが検出されると共に発生したイベントが何であるか判断される。ここで、タイマ１０により計測される時間が所定時間（例えば、３秒）を経過するまでに（即ち、タイマ１０がタイムアウトするまでに）、使用者により入力操作がなされた場合には、ステップＳ１へ戻り、バックライトの点灯が維持されるとともに、タイマ１０での計測がリセットされて（ステップＳ２）、再び外部からキー入力部３などにより入力操作がなされるまでの時間が計測されるようになっている。
【００２６】
一方、ステップＳ４においてタイマ１０により計測される時間が所定時間（例えば、３秒）を経過したと判断されると、次に説明するバックライト減光処理（ステップＳ５、図６（２））が行われる。本実施形態では、このように、キー入力部３による入力が検出されなくなってから一定時間が経過した状態を省電力条件の成立として検出し、所定の省電力動作（バックライト減光動作）を行うようになっている。
【００２７】
また、ステップＳ３のイベント待ちのときに、使用者により、キー入力部３などによって、電源オフ信号がＣＰＵ５に入力されると、携帯端末装置１がパワーオフされるようになっている（ステップＳ６、図６（５））。ここで、パワーオフとは、端末の電源を完全にオフにする動作のほか、サスペンド（スリープ）状態にする動作も含まれており、使用者がキー入力部３により、適宜選択できるようになっている。また、ステップＳ５のバックライト減光処理の最中に、使用者によりキー入力部３が操作され、電源オフ信号がＣＰＵ５に入力されたときでも、携帯端末装置１がパワーオフされるようになっている（図５のＳ５１、図６（５））。そして、このようにパワーオフされた状態で、使用者によって電源オン操作がなされると（図６（６））、携帯端末装置１の電源がオンされ、ステップＳ１からの処理が再びなされることとなる。なお、所定の省電力条件の成立（キー入力部３による入力が検出されなくなってから一定時間が経過した状態となったとき）を検出可能なＣＰＵ５及びタイマ１０は、「条件検出手段」の一例に相当する。
【００２８】
ステップＳ５のバックライト減光処理は、図４のような流れで行われ、まず、ＣＰＵ５からの信号に基づき、バックライト４が省電力条件の検出前よりも減光されるようになっている（ステップＳ２１）。具体的には、バックライト４の明るさが予め複数段階に定められ、バックライト４の明るさをいずれかの段階に切り替える制御が可能となっており、Ｓ２１では、バックライト４を段階的に減光できるようになっている。例えば、バックライト４は、明るさ（照射光量）が５段階に調整できるようになっており、ステップＳ１にて点灯されたバックライト４の明るさが最も明るいレベル０に設定されているとすると、このステップＳ５では、レベル０よりも暗いレベル１〜５（レベル（値）が大きくなるにつれ、暗くなる設定になっている）に、変更されるようになっている。このバックライト４の明るさ（光量）の変更の仕方は、デフォルトで予め設定されていてもよく、また、使用者が選択できるように構成されていてもよい。例えば、デフォルトで、レベル３に変更するように設定されていてもよく、また、使用者により所定のレベルに設定されていてもよい。なお、バックライト４の光源の明るさを変更可能なＣＰＵ５は、「輝度調整手段」の一例に相当する。
【００２９】
次に、ステップＳ２２にて、表示部２で表示される少なくともいずれかの色の階調を、省電力条件の検出前よりも小さくなるように変更する。具体的には、ステップＳ２１にて減光されたバックライト４の明るさに合わせて、ちらつきが目立たなくなるように、表示部２の階調を変更するようにしている。本構成では例えば図７に示すように、バックライト４のレベル及びピクセルクロック周波数の組み合わせに対応付けて階調の減少量が定められており、Ｓ２２では、Ｓ２１で設定されたバックライトのレベルに合わせて省電力条件の検出前の階調から小さくする。
【００３０】
具体的には、例えば、Ｓ２１で設定されたバックライトの明るさがレベル１のときにはいずれかの色の階調の減少量をＡ１にし、Ｓ２１で設定されたバックライトの明るさがレベル２のときには、その色の階調の減少量をＡ２にするといった具合に階調を減ずる制御を行う。なお、図７の例では、Ａ１＜Ａ２＜Ａ３＜Ａ４＜Ａ５となっており、例えば、階調を減ずる「いずれかの色」がＲＧＢの内の「Ｒ」である場合、バックライトの明るさがレベル１のときには、表示部２の表示画面を構成する各画素のＲＧＢ値のうち、「Ｒ」の値を一律にＡ１だけ減ずればよい。即ち、全画素の「Ｒ」の値が一律にＡ１だけ減らされることになる。また、バックライトの明るさがレベル２でピクセルクロック周波数がｆ２のときには、表示部２の表示画面を構成する各画素のＲＧＢ値のうち、「Ｒ」の値を一律にＡ２だけ減ずればよい。
【００３１】
なお、ここではバックライト減光時の階調の減らし方の一例を示したが、階調を減らす色は「Ｒ」に限られず、例えば、ＲＧＢのうちの「Ｇ」値であってもよく、ＲＧＢのうちの「Ｂ」値であってもよい。或いは、各画素の「Ｒ」「Ｇ」の値を、バックライトの明るさに応じた大きさで減ずるようにしてもよい。
【００３２】
また、ステップＳ２１で変更される階調は、上述したように、表示部２の仕様にも依存するが、例えば、３原色（ＲＧＢ；赤 (Red)、緑 (Green)、青 (Blue)）の色合いについては、より原色に近い色で補正してもよい。例えば、ピンク色でちらつく場合には、赤色方向に色合いを増やし、ちらつかない色を定義しておき、それに基づいて補正するとよい。また、白色、黒色、グレー色でちらつく場合には、より白色もしくは黒色に近い色で補正してもよい。例えば、薄いグレー色でちらつく場合、白色方向に色合いを変化させ、ちらつかない色（より白に近いグレー）を定義しておき、それに基づいて補正するとよい。濃いグレー色でちらつく場合には、黒色方向に色合いを変化させ、ちらつかない色（より黒に近いグレー）を定義しておき、それに基づいて補正するとよい。なお、表示部２の階調を変更可能なＣＰＵ５は、「階調変更手段」の一例に相当する。
【００３３】
ステップＳ２２に続くステップＳ２３では、さらに、表示部２の各画素を更新する周波数であるピクセルクロック周波数を、省電力条件の検出前よりも小さくなるように変更する。このピクセルクロック周波数も、表示部２の仕様に応じて任意に設定可能であるが、例えば図７に示すように、省電力条件の検出前の値から段階的に小さくするように変更することができる。なお、図７の例では、ｆ１＞ｆ２＞ｆ３＞ｆ４＞ｆ５となっており、例えば、ｆ１からｆ２、ｆ２からｆ３、ｆ３からｆ４と変更すればピクセルクロック周波数は段階的に小さくなる。Ｓ２２では、例えば、Ｓ２１で設定されたバックライトの明るさがレベル１のときにはピクセルクロック周波数をｆ１にし、Ｓ２１で設定されたバックライトの明るさがレベル２のときには、ピクセルクロック周波数をｆ２にするといった具合に周波数を減ずる制御を行う。なお、ピクセルクロック周波数は、「表示部を動作させる動作周波数」の一例に相当する。また、ピクセルクロック周波数を変更可能なＣＰＵ５は、「周波数変更手段」の一例に相当する。
【００３４】
次に、ステップＳ２４にて、タイマ１０（状態遷移タイマ）が再び起動され、外部からキー入力部３などにより入力操作がなされるまでの時間（ＣＰＵ５がキー入力部３から入力信号を受けるまでの時間）が計測されるようになっている。なお、ステップＳ２４の処理が行われるとステップＳ２から計測されていた時間はリセットされる。そして、ステップＳ２５にてイベント待ちが行われる。このように、ステップＳ２５にてイベント待ちをしているときにイベントが発生すると、ステップＳ２６にて、この発生したイベントが検出されると共に発生したイベントが何であるか判断される。ここで、タイマ１０により計測される時間が所定時間（例えば、１秒）を経過するまでに、使用者により入力操作がなされた場合には、表示部２の階調が所定の省電力条件の成立前（即ち、Ｓ５のバックライト減光制御前）の値へ戻される（ステップＳ２７）。また、ピクセルクロック周波数も所定の省電力条件の成立前（Ｓ５のバックライト減光制御前）の値へ戻される（ステップＳ２８）。そして、バックライトが省電力条件の成立前の明るさに戻り、ステップＳ１からの処理が再びなされることとなる（図６（１））。また、ステップＳ２６において、使用者によりキー入力部３などの操作（電源オフ操作）がなされ電源オフ信号がＣＰＵ５に入力されたと判断されると、携帯端末装置１がパワーオフされるようになっている（ステップＳ３０、図６（５））。
【００３５】
一方、Ｓ２６において、タイマ１０により計測される時間が所定時間（例えば、１秒）を経過したと判断されると、次に説明するパワーセービング処理（Ｓ３１、図６（３））が行われる。ステップＳ３１のパワーセービング処理は、例えば図５のような流れで行われ、まずステップＳ４１にて、ＣＰＵ５の動作クロックを所定値まで下げるようになっている。この動作クロックは、携帯端末装置の機種などによって適宜設定されるものであるが、この処理では、例えば、動作クロックを８００ＭＨｚから２００ＭＨｚに下げるようにしている。
【００３６】
さらに、続くステップＳ４２では、ＣＰＵ５の動作電圧を所定値まで下げる処理が行われる。この動作電圧は、携帯端末装置の機種などによって適宜設定されるものであるが、この処理では、例えば、動作電圧を通常電圧として用いるＶ１からこれよりも低い電圧であるＶ２に下げるようにしている。
【００３７】
次に、ステップＳ４３にて、タイマ１０（状態遷移タイマ）が再び起動され、外部からキー入力部３などにより入力操作がなされるまでの時間（ＣＰＵ５がキー入力部３から入力信号を受けるまでの時間）が計測されるようになっている。なお、ステップＳ２４から計測されていた時間はリセットされる。そして、ステップＳ４４にてイベント待ちが行われる。このように、ステップＳ４４にてイベント待ちをしているときにイベントが発生すると、ステップＳ４５にて、この発生したイベントが検出されると共に発生したイベントが何であるか判断される。
【００３８】
ここで、タイマ１０により計測される時間が所定時間（例えば、３分）を経過するまでに、使用者により入力操作がなされた場合には、動作クロックがステップＳ４１にて変更される前の値（例えば、８００ＭＨｚ）に戻され（ステップＳ４６）、動作電圧もステップＳ４２にて変更される前の値（例えば、Ｖ１）に戻される（ステップＳ４７）。また、表示部２の階調が所定の省電力条件の成立前（即ち、Ｓ５のバックライト減光制御前）の値へ戻され（ステップＳ４８）、ピクセルクロック周波数も所定の省電力条件の成立前（Ｓ５のバックライト減光制御前）の値へ戻される（ステップＳ４９）。そして、バックライトが省電力条件の成立前の明るさに戻り、ステップＳ１からの処理が再びなされることとなる（図６（１））。
【００３９】
一方、タイマ１０により計測される時間が所定時間（例えば、３分）を経過するか、使用者により、キー入力部３などによって、電源オフ信号がＣＰＵ５に入力されると、携帯端末装置１がパワーオフされるようになっている（ステップＳ５１、図６（４）、（５））。
【００４０】
以上説明したように、本第１実施形態に係る携帯端末装置１は、所定の省電力条件が条件検出手段（ＣＰＵ５、タイマ１０）によって検出された場合に、周波数変更手段（ＣＰＵ５）により、ピクセルクロック周波数を少なくとも省電力条件の検出前よりも小さくなるように変更するようにしている。このように、表示部２を動作させるピクセルクロック周波数を小さくすることで、電力消費量を小さくすることができ、表示部２がオン状態でも省電力化を図ることができる。また、表示部２のピクセルクロック周波数を単純に小さくすると、表示画面２ａがちらつきやすくなるといった問題があるが、本実施形態では、さらに、階調変更手段（ＣＰＵ５）により、表示部２で表示される少なくともいずれかの色の階調を、省電力条件の検出前よりも小さくなるように変更するとともに、輝度調整手段（ＣＰＵ５）によって光源を省電力条件の検出前よりも減光するようにしている。このため、表示画面２ａにちらつきが生じることを効果的に抑制することができる。
【００４１】
また、外部からの入力操作を受け付けるキー入力部３を備えている。そして、条件検出手段は、少なくとも入力手段による入力が検出されなくなってから一定時間が経過した状態を省電力状態として検出するようにしている。このように、入力手段による入力が検出されなくなってから一定時間が経過した状態を省電力状態として検出することで、利用者が当該携帯端末装置１を操作していない時間帯に、的確に省電力化を図ることができる。
【００４２】
また、階調変更手段は、条件検出手段により省電力条件が検出された場合に、表示部２で表示される少なくともいずれかの色の階調を、省電力条件の検出前の階調から連続的または段階的に小さくするように変更するようにしている。このように、階調を段階的に小さくするように変更することで、この階調の変化をユーザに気付かせないようにすることができ、ユーザに与える不快感をより抑えることができる。
【００４３】
また、周波数変更手段は、条件検出手段により省電力条件が検出された場合に、表示部２を動作させるピクセルクロック周波数を、省電力条件の検出前のピクセルクロック周波数から段階的に小さくするように変更するようにしている。このように、ピクセルクロック周波数を徐々に小さくすることで、ユーザに与える不快感を抑えることができる。
【００４４】
また、階調変更手段は、条件検出手段により省電力条件が検出された場合に、表示部２で表示される少なくともいずれかの色の階調を、周波数変更手段によって変更されるピクセルクロック周波数に対応付けて予め定められた階調となるように、省電力条件の検出前の階調から段階的に小さくするようにしている。このように、周波数変更手段によって変更されるピクセルクロック周波数に対応付けて、階調変更手段は表示部２の階調を変更するようにしているので、複雑な処理等を要することなく、よりスムーズに省電力化を図ることができる。
［第１実施形態の変形例］
次に、本発明の第１実施形態における変形例に係る携帯端末装置１のＣＰＵ５にて行われる端末処理について説明する。本変形例では、動作周波数の変更の仕方が上記第１実施形態にて述べた携帯端末装置１と主に異なる。上記第１実施形態では、ステップＳ２３において、ピクセルクロック周波数を省電力条件の検出前の値から段階的に小さくするように変更するようにしたが、本変形例では、このステップＳ２３において、ピクセルクロック周波数を予め定められた変化幅で一段階低減、又は設定された低周波数以下となるように一段階低減するようにしている。すなわち、本変形例では、ピクセルクロック周波数を徐々に時間をかけて小さくしていくのではなく、一気に小さくするように変更するようにしている。このように構成することで、省電力化を一層図ることができる。
【００４５】
［他の実施形態]
本発明は上記記述及び図面によって説明した実施形態に限定されるものではなく、例えば次のような実施形態も本発明の技術的範囲に含まれる。
【００４６】
上記各実施形態では、キー入力部３による入力が検出されなくなってから一定時間が経過した状態となったときを「所定の省電力条件」の成立として検出するようにしたが、「所定の省電力条件」はこれに限定されない。例えば、バッテリ８の残量が所定量未満となったときや、使用者により省電力動作指示の信号がＣＰＵ５に入力されたとき（例えば、予め設定される省電力モードがキー入力部３により選択されたとき）を、を「所定の省電力条件」として検出するようにしてもよい。
【００４７】
上記各実施形態では、表示部２で表示される少なくともいずれかの色の階調を、段階的に小さくするように変更する例を示したが、これに限定されず、連続的に小さくするように変更してもよい。
【００４８】
上記各実施形態では、表示部２を動作させるピクセルクロック周波数を、段階的に小さくするように変更する例を示したが、これに限定されず、連続的に小さくするように変更してもよい。
【００４９】
上記実施形態では、図４のバックライト減光処理において、バックライトのレベルを設定されたレベルに落とし、いずれかの色の階調及びピクセルクロック周波数をその落とされたレベルに対応付けられた値にそれぞれ落とす例を示したが、Ｓ２５にてイベントが発生するまで、所定の時間間隔でＳ２１〜Ｓ２３の処理を繰り返し、バックライトのレベル、いずれかの色の階調、ピクセルクロック周波数を段階的に落とすようにしてもよい。例えば、図４の処理開始直後Ｓ２１〜Ｓ２３では、バックライトのレベルを１とし、ピクセルクロック周波数をｆ１とし、Ｓ５の処理前からの階調の減少量をＡ１とし、それらに設定した後、一定時間経過してもイベントが発生していないときには、バックライトのレベルを２とし、ピクセルクロック周波数をｆ２とし、Ｓ５の処理前からの階調の減少量をＡ２とし、それらに設定した後、一定時間経過してもイベントが発生していないときには、バックライトのレベルを３とし、ピクセルクロック周波数をｆ３とし、Ｓ５の処理前からの階調の減少量をＡ３とするといった具合に、各値を段階的に変化させてもよい。
【符号の説明】
【００５０】
１…携帯端末装置
２…表示部
２ａ…表示画面
３…キー入力部（入力手段）
３ａ…操作キー（入力手段）
４…バックライト（光源）
５…ＣＰＵ（条件検出手段、輝度調整手段、階調変更手段、周波数変更手段）
１０…タイマ（条件検出手段）
【図１】
2014204260.tif 000003
【図２】
2014204260.tif 000004
【図３】
2014204260.tif 000005
【図４】
2014204260.tif 000006
【図５】
2014204260.tif 000007
【図６】
2014204260.tif 000008
【図７】
2014204260.tif 000009